(57)【要約】【課題】  被処理物の進行方向に関して後方の水洗槽でも充分な水位を確保でき、且つ前方の水洗槽からオーバーフローした汚染度の少ない洗浄水を後方の水洗槽で直ちに被処理物の洗浄に利用できる塗装前処理装置、電着塗装装置を提供する。【解決手段】  薬液処理槽と、被処理物の進行方向に関して薬液処理槽の前方に直列に配列された複数の水洗槽とを備え、水洗槽はスプレーノズルと水洗槽からスプレーノズルに至る配管と配管の途上に配設された循環ポンプとを有し、前方の水洗槽からオーバーフローした洗浄水が後方の水洗槽へ順送りされる塗装前処理装置であって、水洗槽からオーバーフローした洗浄水を直近後方の水洗槽が有する循環ポンプの吸込口に供給する配管を備える。【選択図】  図１
2008024960.tif 000002
【特許請求の範囲】
【請求項１】
薬液処理槽と、被処理物の進行方向に関して薬液処理槽の前方に直列に配列された複数の水洗槽とを備え、水洗槽はスプレーノズルと水洗槽からスプレーノズルに至る配管と配管の途上に配設された循環ポンプとを有し、前方の水洗槽からオーバーフローした洗浄水が後方の水洗槽へ順送りされる塗装前処理装置であって、水洗槽からオーバーフローした洗浄水を直近後方の水洗槽が有する循環ポンプの吸込口に供給する配管を備えることを特徴とする塗装前処理装置。
【請求項２】
循環ポンプは水洗槽の水面よりも下方に配設されていることを特徴とする請求項１に記載の塗装前処理装置。
【請求項３】
電着槽と、被処理物の進行方向に関して電着槽の前方に直列に配列された複数の水洗槽とを備え、水洗槽はスプレーノズルと水洗槽からスプレーノズルに至る配管と配管の途上に配設された循環ポンプとを有し、前方の水洗槽からオーバーフローした洗浄水が後方の水洗槽へ順送りされる電着塗装装置であって、水洗槽からオーバーフローした洗浄水を直近後方の水洗槽が有する循環ポンプの吸込口に供給する配管を備えることを特徴とする電着塗装装置。
【請求項４】
循環ポンプは水洗槽の水面よりも下方に配設されていることを特徴とする請求項３に記載の電着塗装装置。
【発明の詳細な説明】
【技術分野】
【０００１】
本発明は、塗装前処理装置及び電着塗装装置に関するものである。
【背景技術】
【０００２】
薬液処理槽と、被処理物の進行方向に関して薬液処理槽の前方に直列に配列された複数の水洗槽とを備え、水洗槽はスプレーノズルと水洗槽からスプレーノズルに至る配管と配管の途上に配設された循環ポンプとを有し、前方の水洗槽からオーバーフローした洗浄水が後方の水洗槽へ順送りされる塗装前処理装置が特許文献１等に開示されている。
電着槽と、被処理物の進行方向に関して電着槽の前方に直列に配列された複数の水洗槽とを備え、水洗槽はスプレーノズルと水洗槽からスプレーノズルに至る配管と配管の途上に配設された循環ポンプとを有し、前方の水洗槽からオーバーフローした洗浄水が後方の水洗槽へ順送りされる電着塗装装置が特許文献２等に開示されている。
特許文献１、２等に開示された従来の塗装前処理装置、電着塗装装置においては、前方の水洗槽からオーバーフローした洗浄水の後方の水洗槽への順送りは、傾斜した配管を利用した自然水流により行なっていた。
【特許文献１】特開２００２−１０２７８８号公報
【特許文献２】特開２００３−１０５５９４号公報
【発明の開示】
【発明が解決しようとする課題】
【０００３】
従来の塗装前処理装置、電着塗装装置には、前方の水洗槽から後方の水洗槽へ向けて水位を順次低くせざるを得ず、後方の水洗槽では洗浄水量が少なくなり洗浄水の汚染度が高くなって充分な洗浄効果が得られないという問題がある。また前方の水洗槽からオーバーフローした洗浄水は単に後方の水洗槽へ流入するのみなので、前方の汚染度の少ない洗浄水を直ちに被処理物の洗浄に利用できず、充分な洗浄効果が得られないという問題もある。
本発明は上記問題に鑑みてなされたものであり、被処理物の進行方向に関して後方の水洗槽でも充分な水位を確保でき、且つ前方の水洗槽からオーバーフローした汚染度の少ない洗浄水を後方の水洗槽で直ちに被処理物の洗浄に利用できる塗装前処理装置、電着塗装装置を提供することを目的とする。
【課題を解決するための手段】
【０００４】
上記課題を解決するために、本発明においては、薬液処理槽と、被処理物の進行方向に関して薬液処理槽の前方に直列に配列された複数の水洗槽とを備え、水洗槽はスプレーノズルと水洗槽からスプレーノズルに至る配管と配管の途上に配設された循環ポンプとを有し、前方の水洗槽からオーバーフローした洗浄水が後方の水洗槽へ順送りされる塗装前処理装置であって、水洗槽からオーバーフローした洗浄水を直近後方の水洗槽が有する循環ポンプの吸込口に供給する配管を備えることを特徴とする塗装前処理装置を提供する。
また本発明においては、電着槽と、被処理物の進行方向に関して電着槽の前方に直列に配列された複数の水洗槽とを備え、水洗槽はスプレーノズルと水洗槽からスプレーノズルに至る配管と配管の途上に配設された循環ポンプとを有し、前方の水洗槽からオーバーフローした洗浄水が後方の水洗槽へ順送りされる電着塗装装置であって、水洗槽からオーバーフローした洗浄水を直近後方の水洗槽が有する循環ポンプの吸込口に供給する配管を備えることを特徴とする電着塗装装置を提供する。
本発明に係る塗装前処理装置、電着塗装装置においては、前方の水洗槽からオーバーフローした洗浄水は直近後方の水洗槽が有する循環ポンプの吸込口に供給され、直近後方の水洗槽から前記循環ポンプへ吸い込まれた当該水洗槽内の洗浄水と混合されて、スプレーノズルから吐出する。
前方の水洗槽から後方の水洗槽への洗浄水の順送りは、傾斜した配管を利用した自然水流では無く強制水流によるので、水洗槽内の水位を前方の水洗槽から後方の水洗槽へ向けて順次下げる必要は無い。従って後方の水洗槽でも充分な水位を確保して洗浄水の汚染度の増加を抑制でき、充分な洗浄性能を確保できる。
前方の水洗槽から後方の水洗槽へ送られた汚染度の少ない洗浄水を後方の水洗槽が有する循環ポンプの吸込口に供給するので、当該汚染度の少ない洗浄水を後方の水洗槽で直ちに被処理物の洗浄に利用でき、充分な洗浄性能を確保できる。
【０００５】
本発明の好ましい態様においては、循環ポンプは水洗槽の水面よりも下方に配設されている。
循環ポンプを水洗槽の水面よりも下方に配設することにより、循環ポンプ吸込口での負圧（ゲージ圧）の発生を抑制し、直近前方の水洗槽と前記吸込口とを接続する配管を介して循環ポンプが空気を吸い込むのを阻止することができる。
【発明の効果】
【０００６】
本発明により、被処理物の進行方向に関して後方の水洗槽でも充分な水位を確保でき、且つ前方の水洗槽からオーバーフローした汚染度の少ない洗浄水を後方の水洗槽で直ちに被処理物の洗浄に利用できる塗装前処理装置、電着塗装装置が提供される。
【発明を実施するための最良の形態】
【０００７】
本発明の実施例を説明する。
以下の説明において、図１の矢印Ｉ、ＩＩ、ＩＩＩ、ＩＶの方向をそれぞれ前方、後方、上方、下方と呼ぶ。
図１に示すように、塗装前処理装置Ａは、後方から前方へ向けて順次直列に配列された、薬液処理槽１、第１水洗槽２、第２水洗槽３、第３水洗槽４を備えている。薬液処理槽１には被処理物の表面処理のための薬液が貯留され、第１水洗槽２、第２水洗槽３、第３水洗槽４には、洗浄水が貯留されている。
槽１、２、３、４は、槽直上に配設されたスプレーノズル１ａ、２ａ、３ａ、４ａと、槽下部からスプレーノズル１ａ、２ａ、３ａ、４ａへ延びる循環用配管１ｂ、２ｂ、３ｂ、４ｂと、循環用配管１ｂ、２ｂ、３ｂ、４ｂの途上に配設された循環ポンプ１ｃ、２ｃ、３ｃ、４ｃと、槽後部上端に配設されたオーバーフロー堰１ｄ、２ｄ、３ｄ、４ｄとを有している。
循環ポンプ１ｃ、２ｃ、３ｃ、４ｃは、槽１、２、３、４の水面よりも下方、好ましくは槽１、２、３、４の底壁よりも下方に配設されている。
【０００８】
薬液処理槽１の前部上端に薬液供給配管５が接続している。オーバーフロー堰１ｄから薬液排出配管６が下方へ延びている。
第３水洗槽４の前部上端に新鮮水供給配管７が接続している。
オーバーフロー堰４ｄから延びる送水配管８が、循環ポンプ３ｃの吸込口に、より正確には循環ポンプ３ｃ直近上流の循環用配管３ｂに接続している。
オーバーフロー堰３ｄから延びる送水配管９が、循環ポンプ２ｃの吸込口に、より正確には循環ポンプ２ｃ直近上流の循環用配管２ｂに接続している。
オーバーフロー堰２ｄから洗浄水排出配管１０が下方へ延びている。
【０００９】
槽１、２、３、４の上方に、前後に延在するにオーバーヘッドレール１１が配設されている。オーバーヘッドレール１１に、前後方向に互いに所定間隔を隔てて複数のタクト式搬送装置１２が係合している。タクト式搬送装置１２はオーバーヘッドレール１１に沿って、後方から前方へ向けて移動する。タクト式搬送装置１２に被処理物である自動車ボデーＡが載置固定されている。
【００１０】
本実施例に係る塗装前処理装置の作動を説明する。
新鮮水供給配管７を介して新鮮水が第３水洗槽４に供給される。第３水洗槽４内の洗浄水は、槽下部から循環用配管４ｂと循環ポンプ４ｃとを経てスプレーノズル４ａへ送られ、スプレーノズル４ａから吐出して槽上部へ戻る。オーバーフロー堰４ｄを越えて第３水洗槽４から溢れ出た洗浄水は、送水配管８を経て第２水洗槽３の循環ポンプ３ｃに吸い込まれる。
第２水洗槽第３内の洗浄水は、槽下部から循環用配管３ｂを経て循環ポンプ３ｃに吸い込まれ、送水配管８を経て第３水洗槽４から供給された洗浄水と混合された後、スプレーノズル３ａへ送られ、スプレーノズル３ａから吐出して槽上部へ戻る。オーバーフロー堰３ｄを越えて第２水洗槽３から溢れ出た洗浄水は、送水配管９を経て第１水洗槽２の循環ポンプ２ｃに吸い込まれる。
第１水洗槽第２内の洗浄水は、槽下部から循環用配管２ｂを経て循環ポンプ２ｃに吸い込まれ、送水配管９を経て第２水洗槽３から供給された洗浄水と混合された後、スプレーノズル２ａへ送られ、スプレーノズル２ａから吐出して槽上部へ戻る。オーバーフロー堰２ｄを越えて第１水洗槽２から溢れ出た洗浄水は、洗浄水排出管１０を経て廃液処理槽へ送られる。
薬液供給配管５を介して薬液が薬液処理槽１に供給される。薬液処理槽１内の薬液は、槽下部から循環用配管１ｂと循環ポンプ１ｃとを経てスプレーノズル１ａへ送られ、スプレーノズル１ａから吐出して槽上部へ戻る。オーバーフロー堰１ｄを越えて薬液処理槽１から溢れ出た薬液は、薬液排出管６を経て廃液処理槽へ送られる。
【００１１】
タクト式搬送装置１２が槽１〜４上方を後方から前方へ移動し、スプレーノズル１ａ、２ａ、３ａ、４ａの上方で停止して自動車ボデーＡをスプレーノズル１ａ、２ａ、３ａ、４ａの位置まで降下させ、所定時間経過後自動車ボデーＡを上昇させてスプレーノズル１ａ、２ａ、３ａ、４ａから離脱させる。
スプレーノズル１ａから吐出した薬液が自動車ボデーＡを表面処理する。スプレーノズル２ａ、３ａ、４ａから吐出した洗浄水が、自動車ボデーＡに付着した余分の薬液を洗い落とす。水洗槽２、３、４の順に、洗浄水の汚染度が低くなるので、自動車ボデーＡは、水洗行程が進行するにつれて、より清浄な洗浄水で洗浄されることになる。
【００１２】
自動車ボデーＡの進行方向に関して前方の水洗槽４、３から後方の水洗槽３、２への洗浄水の順送りは、自然水流では無く循環ポンプ３ｃ、２ｃを用いた強制水流によるので、水洗槽内の水位を前方の水洗槽４、３から後方の水洗槽３、２へ向けて順次下げる必要は無い。従って後方の水洗槽３、２でも充分な水位を確保して洗浄水の汚染度の増加を抑制でき、充分な洗浄性能を確保できる。
前方の水洗槽４、３から後方の水洗槽３、２へ送られた汚染度の少ない洗浄水を後方の水洗槽３、２が有する循環ポンプ３ｃ、２ｃの吸込口に供給するので、当該汚染度の少ない洗浄水を後方の水洗槽３、２で直ちに自動車ボデーＡの洗浄に利用でき、充分な洗浄性能を確保できる。
【００１３】
循環ポンプ３ｃ、２ｃを水洗槽３、２の水面よりも下方に、好ましくは水洗槽３、２の底壁よりも下方に配設することにより、循環ポンプ３ｃ、２ｃ吸込口での負圧（ゲージ圧）の発生を抑制したので、水洗槽４、３の水位がオーバーフロー堰４ｄ、３ｄよりも低下し、水洗槽４、３からの洗浄水のオーバーフローが停止しても、送水配管８、９を介して循環ポンプ３ｃ、２ｃは空気を吸い込まない。
【００１４】
薬液処理装置１を電着槽に置換した電着塗装装置にも本発明を利用することができる。
【産業上の利用可能性】
【００１５】
本発明は、スプレーノズル付きの水洗槽を備える塗装前処理装置、電着塗装装置に広く利用可能である。
【図面の簡単な説明】
【００１６】
【図１】本発明の実施例に係る塗装前処理装置の構成図である。
【符号の説明】
【００１７】
１  薬液処理装置
２  第１水洗槽
３  第２水洗槽
４  第３水洗槽
１ａ、２ａ、３ａ、４ａ  スプレーノズル
１ｂ、２ｂ、３ｂ、４ｂ  循環用配管
１ｃ、２ｃ、３ｃ、４ｃ  循環ポンプ
１ｄ、２ｄ、３ｄ、４ｄ  オーバーフロー堰
５  薬液供給配管
６  薬液排出配管
７  新鮮水供給配管
８、９  送水配管
１０  洗浄水排出配管
１１  オーバーヘッドレール
１２  タクト式搬送装置
【図１】
2008024960.tif 000003